(57)【要約】      （修正有）【課題】出水操作時においても、飲料サーバ本体から取り外す必要のない、出水レバー用ストッパーを提供する。【解決手段】ストッパー３０は、出水口と嵌合する嵌合部３４ａ、３４ｂを有する延在穴３４と、出水レバーの側杆の傾動を後方から押止する側杆押え部３１ａ、３１ｂとを備える。延在穴３４は、出水口を挿通させた状態でストッパー３０が摺動可能となるように形成されている。ストッパー３０は、出水口が、延在穴３４の嵌合部３４ｂにて嵌合する位置にあるとき、出水レバーの側杆２２の後方には側杆押え部３１ａ、３１ｂが位置し、出水口が、延在穴３４の嵌合部３４ａにて嵌合する位置にあるとき、出水レバーの側杆の後方には側杆押え部３１ａ、３１ｂが位置しないように構成されている。【選択図】図３（ｂ）
2016120939.tif 000002
【特許請求の範囲】
【請求項１】
出水口と出水レバーとを有し、前記出水レバーを後方に傾動させることで前記出水口から出水する飲料サーバに用いられるストッパーであって、
側方に延在し、両端部に前記出水口と嵌合する第１の嵌合部及び第２の嵌合部を有する延在穴と、
前記出水レバーの側杆の傾動を後方から押止する側杆押え部とを備え、
前記延在穴は、前記出水口を挿通させた状態で前記ストッパーが摺動可能となるように形成され、
前記出水口が、前記延在穴の第１の嵌合部にて嵌合する位置にあるとき、前記出水レバーの側杆の後方には前記側杆押え部が位置し、前記出水口が、前記延在穴の第２の嵌合部にて嵌合する位置にあるとき、前記出水レバーの側杆の後方には前記側杆押え部が位置しないことを特徴とするストッパー。
【請求項２】
少なくとも２つの前記側杆押え部を備える請求項１に記載のストッパー。
【請求項３】
前記側杆の傾動を側方から押止するための側方突出部材の摺動を案内する案内溝をさらに備え、
前記出水口が、前記延在穴の第１の嵌合部にて嵌合する位置にあるとき、前記案内溝に沿って前記側方突出部材を後方に摺動することで、前記側杆の側方に前記側方突出部材を突出させることを可能とする請求項１に記載のストッパー。
【請求項４】
出水口と出水レバーとを有し、前記出水レバーを後方に傾動させることで前記出水口から出水する飲料サーバに用いられるストッパーであって、
側方に延在するとともにその一方の端部で手前に屈曲する略Ｌ字形状の延在穴であって前記ストッパーを挿通可能な延在穴と、
前記出水レバーの側杆の後方に当接する側杆当接部とを備え、
前記延在穴は、他方の端部に前記出水口と嵌合する嵌合部を有し、
前記出水口が、前記他方の端部に前記延在穴の嵌合部にて嵌合する位置にあるとき、前記側杆当接部によって前記出水レバーの側杆の傾動は押止され、前記出水口が前記一方の端部に位置するときに、前記ストッパーの後方への移動を許容し、前記出水レバーの側杆の後方への傾動を許容することを特徴とするストッパー。
【請求項５】
出水口と出水レバーとを有し、前記出水レバーを後方に傾動させることで前記出水口から出水する飲料サーバに用いられるストッパーであって、
前記出水口と嵌合する嵌合穴と、
前記出水レバーの側杆の傾動を後方から押止するための側杆押え部とを備え、
前記出水口を前記嵌合穴に嵌合させた状態で、前記側杆押え部を回動させることにより、前記側杆押え部による傾動の押止を解放することを特徴とするストッパー。
【請求項６】
前記側杆押え部を回動させるための把持部をさらに備えたことを特徴とする請求項５に記載のストッパー。
【発明の詳細な説明】
【技術分野】
【０００１】
本発明は、飲料サーバの出水レバー用ストッパーに関するものである。
【背景技術】
【０００２】
近年、ボトルに充填されたミネラルウォーター等の飲料水を供給するウォーターサーバが、病院やオフィスのみならず、一般家庭にも普及しつつある。ウォーターサーバは、図１０に示すように、冷水用レバー、温水用レバーの２つの出水レバーを備え、冷水レバーを押動することにより、内蔵する冷却装置で冷却された飲料水が注出され、温水レバーを押動することにより、内蔵するヒーターで加熱された飲料水が注出される。
【０００３】
ウォーターサーバから注出される温水は、熱湯に近い高温であるため、子供が誤って温水レバーを押動した時には、不意の注水により負傷する危険がある。そこで、ウォーターサーバは、温水の注出機構に何らかのチャイルドロックを備えるのが一般的である。例えば、図１０に示すウォーターサーバは、温水用コックの近傍にロック解除ボタンＢを備える。ユーザは、ロック解除ボタンＢを押圧しつつ、温水レバーを押動するという、２段階の操作により、温水を注出することができる。このように、温水注出操作を敢えて複雑にすることで、子供のいたずらによる温水注出を防止している。
【０００４】
なお、本発明に関連する先行技術として、以下の先行技術文献がある。
【先行技術文献】
【特許文献】
【０００５】
【特許文献１】特開２０１３−０３５５９５号公報
【発明の概要】
【発明が解決しようとする課題】
【０００６】
しかしながら、図１０に示すようなロック解除ボタンによっても、子供のいたずらによる温水注出を十分に防止することができないおそれがある。また、通常、冷水注出機構にはこのようなチャイルドロックが設けられていないため、冷水用レバーの操作により、床を水浸しにしてしまうなどのいたずらを防止することはできない。その一方で、チャイルドロックのために機構を複雑にするほど、温水注出操作が煩雑になるという問題がある。また、ウォーターサーバが小さな子供のいない家庭等に設置される場合には、冷水注出機構にチャイルドロックを設ける必要はない。したがって、ウォーターサーバの温水／冷水注出機構自体に変更を加えることなく、チャイルドロックを実現できれば便宜である。
【０００７】
本発明は、上記の問題に鑑みてなされたものであり、出水操作時においても、ウォーターサーバ本体から取り外す必要のない、出水レバー用ストッパーを提供することを目的とする。
【課題を解決するための手段】
【０００８】
本発明のストッパーは、出水口と出水レバーとを有し、前記出水レバーを後方に傾動させることで前記出水口から出水する飲料サーバに用いられるストッパーであって、側方に延在し、両端部に前記出水口と嵌合する第１の嵌合部及び第２の嵌合部を有する延在穴と、前記出水レバーの側杆の傾動を後方から押止する側杆押え部とを備え、前記延在穴は、前記出水口を挿通させた状態で前記ストッパーが摺動可能となるように形成され、前記出水口が、前記延在穴の第１の嵌合部にて嵌合する位置にあるとき、前記出水レバーの側杆の後方には前記側杆押え部が位置し、前記出水口が、前記延在穴の第２の嵌合部にて嵌合する位置にあるとき、前記出水レバーの側杆の後方には前記側杆押え部が位置しないこと特徴とする。
【０００９】
この構成によれば、ウォーターサーバの出水口と、延在穴の一端に形成された第１の嵌合部とを嵌合させた状態においては、側杆押え部によって出水レバーの側杆が押止されて後方への傾動が禁止されるため、出水しない。これに対して、出水口と延在穴の他端に形成された第２の嵌合部とを嵌合させた状態においては、出水レバーの後方には側杆押え部は位置せず、側杆押え部による傾動の押止から解放される。したがって、この状態においては、出水レバーの押動により出水する。そして、この構成においては、第１／第２の嵌合部を出水口に嵌合させる位置から、第２／第１の嵌合部と出水口とを嵌合させる位置まで、出水口を挿通させた状態でストッパーを摺動させることが可能である。すなわち、いずれかの嵌合部に出水口を嵌合させた状態から、ストッパーをスライドして、出水口と嵌合させる位置をずらすことで、出水レバーの傾動禁止とその解除を行うことができる。したがって、この構成によれば、ストッパーを取り外すことなく、簡単な操作で、出水のロックとその解除を行うことができる。
【００１０】
本発明のストッパーは、少なくとも２つの前記側杆押え部を備えていてよい。
【００１１】
この構成によれば、出水レバーが複数の側杆を備える場合において、より確実に側杆の傾動を禁止することができる。
【００１２】
本発明のストッパーは、前記側杆の傾動を側方から押止するための側方突出部材の摺動を案内する案内溝をさらに備え、前記出水口が、前記延在穴の第１の嵌合部にて嵌合する位置にあるとき、前記案内溝に沿って前記側方突出部材を後方に摺動することで、前記側杆の側方に前記側方突出部材を突出させることを可能としてよい。
【００１３】
この構成によれば、ストッパーが第１の嵌合部にて、出水口と嵌合しているとき、案内溝に沿って、側方突出部材を後方に摺動することで、当該側方突出部材を、側杆の側方に位置させることが可能となる。これにより、側杆の後方への傾動は、側方からも押止されることとなる。したがって、ストッパーが第１の嵌合部にて出水口と嵌合しているときには、側杆の傾動を、後方及び側方から確実に押止することができる。また、出水操作を可能とするためには、側杆側方に突出した側方突出部材を、案内溝に沿って前方に摺動し、さらに、ストッパーを側方に摺動するという、二段階の操作が必要となる。したがって、より確実に出水操作をロックすることができる。
【００１４】
本発明の他の態様のストッパーは、出水口と出水レバーとを有し、前記出水レバーを後方に傾動させることで前記出水口から出水する飲料サーバに用いられるストッパーであって、側方に延在するとともにその一方の端部で手前に屈曲する略Ｌ字形状の延在穴であって前記ストッパーを挿通可能な延在穴と、前記出水レバーの側杆の後方に当接する側杆当接部とを備え、前記延在穴は、他方の端部に前記出水口と嵌合する嵌合部を有し、前記出水口が、前記他方の端部に前記延在穴の嵌合部にて嵌合する位置にあるとき、前記側杆当接部によって前記出水レバーの側杆の傾動は押止され、前記出水口が前記一方の端部に位置するときに、前記ストッパーの後方への移動を許容し、前記出水レバーの側杆の後方への傾動を許容することを特徴とする。
【００１５】
この構成によれば、ウォーターサーバの出水口と、延在穴の１つの端部に形成された嵌合部とを嵌合させた状態においては、側杆押え部によって出水レバーの側杆が押止されて後方への傾動が禁止されるため、出水しない。これに対して、出水口が延在穴の延在穴が手前に屈曲する端部に位置するときに出水レバーを後方に押すと、出水口を挿通した延在穴の前方に余裕があるため、出水口に沿ってストッパーが後方に移動することができる。このため、その余裕の分だけ、出水レバーを後方に傾動させることができ、出水する。したがって、この構成によれば、ストッパーを取り外すことなく、簡単な操作で、出水のロックとその解除を行うことができる。
【００１６】
本発明の他の態様のストッパーは、出水口と出水レバーとを有し、前記出水レバーを後方に傾動させることで前記出水口から出水する飲料サーバに用いられるストッパーであって、前記出水口と嵌合する嵌合穴と、前記出水レバーの側杆の傾動を後方から押止するための側杆押え部とを備え、前記出水口を前記嵌合穴に嵌合させた状態で、前記側杆押え部を回動させることにより、前記側杆押え部による傾動の押止を解放することを特徴とする。
【００１７】
この構成によれば、出水口を嵌合穴に嵌合させた状態で、側杆押え部を回動させることにより、側杆押え部によって側杆の傾動を押止して出水を禁止し、または、押止を解放して出水させることができる。したがって、ストッパーを取り外すことなく、簡単な操作で、出水のロックとその解除を行うことができる。
【００１８】
上記のストッパーにおいて、側杆押え部を回動させるための把持部をさらに備えていてよい。
【００１９】
この構成によれば、側杆押え部を容易に回動することができ、簡単な操作で出水のロックとその解除を行うことができる。
【発明の効果】
【００２０】
本発明によれば、ストッパーの摺動により出水レバーの傾動の押止とその解除をすることができるので、ストッパーを取り外すことなく、簡単な操作で出水のロックとその解除を行うことができる。
【図面の簡単な説明】
【００２１】
【図１】ウォーターサーバの出水コック及び出水レバーの外観斜視図
【図２（ａ）】ウォーターサーバの出水／止水の仕組みを説明するための図
【図２（ｂ）】ウォーターサーバの出水／止水の仕組みを説明するための図
【図３（ａ）】本発明の第１の実施の形態のストッパーの斜視図
【図３（ｂ）】本発明の第１の実施の形態のストッパーの平面図
【図４】本発明の第１の実施の形態のスライド突出部材の斜視図
【図５（ａ）】本発明の第１の実施の形態のストッパーを、ウォーターサーバの出水口に取り付けた状態を示す斜視図
【図５（ｂ）】本発明の第１の実施の形態のストッパーを、ウォーターサーバの出水口に取り付けた状態を示す斜視図
【図５（ｃ）】本発明の第１の実施の形態のストッパーを、ウォーターサーバの出水口に取り付けた状態を示す斜視図
【図６】本発明の第２の実施の形態のストッパーの斜視図
【図７（ａ）】本発明の第２の実施の形態のストッパーを、ウォーターサーバの出水口に取り付けた状態を示す斜視図
【図７（ｂ）】本発明の第２の実施の形態のストッパーを、ウォーターサーバの出水口に取り付けた状態を示す斜視図
【図８】本発明の第３の実施の形態のストッパーの斜視図
【図９（ａ）】本発明の第３の実施の形態のストッパーを、ウォータサーバの出水口に取り付けた状態を示す斜視図
【図９（ｂ）】本発明の第３の実施の形態のストッパーを、ウォータサーバの出水口に取り付けた状態を示す斜視図
【図１０】一般的なウォーターサーバの外観図
【発明を実施するための形態】
【００２２】
（第１の実施の形態）
以下、本発明の第１の実施の形態のストッパーについて、図面を参照しながら説明する。
【００２３】
図１は、本発明の第１の実施の形態のストッパーが取り付けられる、ウォーターサーバ１の出水コック１０及び出水レバー２０の外観の斜視図である。図１に示すように、出水コックは、その下端に出水口１１を備える。なお、本実施の形態において、出水口１１には、樹脂等の材質からなるアタッチメントパーツ１１ａが被嵌されている。出水レバー２０は、平板体２１、側杆２２ａ、２２ｂ、側杆連結部２３を備える。出水レバー２０の側杆連結部２３は、出水コック上部に付設される傾動体１２に連結されている。
【００２４】
ここで、図２を参照して、ウォーターサーバ１の出水及び止水の仕組みについて説明する。図２（ａ）は、止水時におけるウォーターサーバの出水コック１０の断面図である。図２（ａ）に示すように、出水コック１０は、引き上げ軸１３、上部スプリング１４、弁体１５、止水リブ１６を備える。引き上げ軸１３は、傾動体１２に連結されており、傾動体１２の傾動に従って上下動する。弁体１５は、引き上げ軸１３の上下動に連動して伸縮する下部スプリング１５ａと、下部スプリング１５ａの伸縮に連動して上下動する弁体軸１５ｂとを備える。弁体軸１５ｂには、シリコン弾性体からなる弁部材が接着されている。
【００２５】
図２（ａ）に示すように、止水時においては、上部スプリング１４の付勢力により、傾動体１２は、出水コック上部に水平に保持されている。また、下部スプリング１５ａの付勢力により、弁体１５の下端の弁部材が出水路入口１７ａに着座して止水リブ１６を押止することにより、給水路１８と出水路１７との間の流通は閉塞され、止水される。
【００２６】
図２（ｂ）は、出水時におけるウォーターサーバの出水コック１０の断面図である。出水レバー２０の平板体２１が押動されると、側杆２２ａ、２２ｂの傾動に伴って、図２（ｂ）に示すように、傾動体１２も傾動し、これに応動して、引き上げ軸１３及び弁体軸１５ｂも引き上げられる。弁体１５の下端が所定の高さ位置（止水リブの潰れしろ）を超えて引き上げられると、弁部材が閉塞していた給水路１８と出水路１７との間の連通が開放され、給水路１８から出水口１１に向かって水が流通する。
【００２７】
図３（ａ）は、第１の実施の形態におけるストッパー３０の斜視図である。ストッパー３０は、樹脂等の、ある程度の弾性を有する材質で構成される。図３（ａ）に示すように、ストッパー３０は、側杆押え部３１ａ、３１ｂ、側杆収納溝３２ａ、３２ｂ、切欠き部３３ａ、３３ｂ、延在穴３４、案内溝３５を有する板状体である。側杆押え部３１ａ、３１ｂは、ストッパー３０後方の左右に棒状体として形成されており、切欠き部３３ａ、３３ｂにより、一端が開放端となっている。側杆押え部３１の内側面横方向の長さＬ３１は、出水レバー側杆の幅より若干大きい。これにより、側杆押え部３１は、側杆２２が側杆収納溝３２に遊嵌された状態において、側杆の後方の傾動を押止することができる。切欠き部３３ａの横方向の長さＬ３３は、出水レバーの側杆の幅より若干大きい。これは、後述するように、側杆２２の通過、傾動を可能とするためである。
【００２８】
側杆収納溝３２ａ、３２ｂは、略長方形の溝であって、その奥行き長さＬ３２は、出水レバーの側杆の厚さより若干大きく、後述するように、出水レバーのロック状態においては、側杆２２が、側杆収納溝３２と側杆押え部３１とにより遊嵌された状態となる。なお、本実施の形態においては、側杆収納溝３２ｂの左端は開放端となっている。これは、ストッパー３０を出水レバー２０に取り付け容易とするためである。案内溝３５は、前後に延在し、深さｄ３５から下方は、上方よりも広く形成されている。案内溝３５は、後述するように、スライド突出部材３７の摺動を、後方に案内する。
【００２９】
図３（ｂ）は、ストッパー３０の平面図である。図３（ｂ）に示すように、第１の実施の形態においては、延在穴３４は、ストッパー３０の手前側の領域に形成され、中央付近が緩やかに窪んだまゆ型に形成されている。延在穴３４は、ウォーターサーバの出水口１１のアタッチメントパーツ１１ａと嵌合する、２つの嵌合部３４ａ、３４ｂを有する。図４に示すように、第１の実施の形態において、延在穴３４は、２つの円形穴を連結させたような形状を有するが、左側の円形穴が嵌合部３４ａに相当し、右側の円形穴が嵌合部３４ｂに相当する。２つの円形穴の直径は、いずれも、出水口１１のアタッチメントパーツ１１ａと嵌合可能な大きさである。
【００３０】
延在穴３４は、中央付近の窪みＤよって、幅Ｗが嵌合部３４ａ、３４ｂの直径よりもわずかに小さくなっているが、上述のように、アタッチメントパーツ１１ａ及びストッパー３０は、ともに、ある程度の弾性を有する樹脂素材で形成されている。したがって、この場合においても、アタッチメントパーツ１１ａを嵌合部３４ｂにてストッパー３０に嵌合させた状態から、ストッパー３０を、アタッチメントパーツ１１ａを延在穴３４に当接させつつ右に摺動して、アタッチメントパーツ１１ａを嵌合部３４ａに嵌合させることができる。同様に、アタッチメントパーツ１１ａを嵌合部３４ａにてストッパー３０に嵌合させた状態から、ストッパー３０を左に摺動して、嵌合部３４ｂに嵌合させることもできる。すなわち、ストッパー３０は、出水口１１のアタッチメントパーツ１１ａを挿通させた状態で横方向に摺動可能であり、摺動によって、アタッチメントパーツ１１ａとの嵌合位置を移動させることができる。
【００３１】
図４は、第１の実施の形態における、ストッパー３０の案内溝３５にはめ込んで使用する、スライド突出部材３７の斜視図である。スライド突出部材３７は、上部３７ａと下部３７ｂとから成る。図４に示すように、上部３７ａは、前方に鍵状に屈曲した部位を有する。また、下部３７ｂの幅は、上部３７ａの幅より大きく、前後方向の長さは、少なくとも、側杆２２の幅よりも長い。再び図３（ｂ）を参照すると、ストッパー３０の案内溝３５は、前方及び後方に、鍵状に屈曲した部位３５ａ、ｂを有する。案内溝３５は、この部位において、スライド突出部材３７の上部３７ａの鍵状に屈曲した部位と嵌合する。
【００３２】
図５（ａ）、（ｂ）、（ｃ）は、第１の実施の形態のストッパー３０を、ウォーターサーバ１の出水口１１に取り付けた状態を示す斜視図である。図５（ａ）、（ｂ）においては、ウォーターサーバ１は、出水が禁止される状態であり、図５（ｃ）においては、ウォーターサーバ１は、出水が可能な状態である。図５（ａ）においては、出水口１１は、ストッパー３０の嵌合部３４ｂにてストッパー３０と嵌合している。このとき、出水レバーの側杆２２ａ及びｂの後方には、それぞれ、側杆押え部３１ａ、３１ｂが位置している。したがって、出水レバー１０を押動しても、２つの側杆２２ａ、２２ｂが側杆押え部３１ａ、３１ｂによって後方から押止されるため、傾動することができず、止水状態が維持される。なお、図５（ａ）においては、スライド突出部材３７の鍵状屈曲部位は、案内溝３５の鍵状屈曲部位３５ａと嵌合している。
【００３３】
図５（ｂ）が示す状態は、図５（ａ）の状態から、スライド突出部材３７を、案内溝３５に沿って後方にスライドさせ、スライド突出部材上部３７ａの鍵状屈曲部位を、案内溝３５の後方の鍵状屈曲部位３５ｂに嵌合させた状態である。このとき、スライド突出部材下部３７ｂは後方に突出し、側杆の側方に位置している。したがって、側杆２２ａの後方への傾動は、側方からも押止され、より確実に、止水状態を維持することができる。
【００３４】
図５（ｃ）が示す状態は、図５（ａ）の状態から、ストッパー３０を出水口１１のアタッチメントパーツ１１ａに沿って右に摺動させて、アタッチメントパーツ１１ａを嵌合部３４ａにて嵌合させた状態である。図５（ｃ）においては、出水レバーの側杆２２ａ及びｂの後方には、それぞれ、切欠き部３３ａ、３３ｂが位置しており、側杆押え部３１ａ、３１ｂは位置しない。したがって、出水レバー１０の押動によって側杆２２ａ、２２ｂは傾動し、ウォーターサーバ１は出水する。なお、上述のように、ストッパー３０の延在穴３４の中央付近には、窪みＤが存在し、嵌合部３４ａ、３４ｂの直径よりも若干小さくなっている。これにより、ストッパー３０を摺動して、ロックを解除し、図５（ａ）の状態から図５（ｃ）の状態とするためには、窪みＤを超えるだけの力が必要となるので、意図せずにロックが解除されることを防ぐことができる。
【００３５】
また、図５（ｂ）の状態から図５（ｃ）の状態とするためには、まず、スライド突出部材３７を前方に摺動して、図５（ａ）の状態とし、その上でストッパー３０を摺動させる必要がある。すなわち、出水レバー１０の操作に、二重のロックを掛けることができる。したがって、さらに確実に、子供のいたずら等を防止することができる。
【００３６】
以上、説明したように、第１の実施の形態のストッパー３０によれば、延在穴３４の嵌合部３４ａまたはｂに、出水口１１のアタッチメントパーツ１１ａを嵌合させた状態から、ストッパー３０を摺動することによって、アタッチメントパーツ１１ａを他方の嵌合部に嵌合させることが可能である。そして、アタッチメントパーツ１１ａを嵌合部３４ｂに嵌合させた状態においては、側杆押え部３１によって出水レバーの側杆２２が押止されて後方への傾動が禁止されるため、出水レバー１０を押動しても、出水しない。これに対して、アタッチメントパーツ１１ａを嵌合部３４ａに嵌合させた状態においては、出水レバー１０の後方には側杆押え部３１は位置せず、側杆押え部３１による傾動の押止から解放され、出水可能となる。したがって、ストッパー３０を取り外すことなく、簡単な操作で、ウォーターサーバ１の出水のロックとその解除を行うことができる。
【００３７】
上記の実施の形態では、側杆押え部を左側に突出させ、左方向への摺動により出水がロックし、右方向への摺動により出水ロックが解除される場合について説明したが、側杆押え部を右側に突出させて、摺動方向とロック／ロック解除の対応関係を左右逆としてもよい。
【００３８】
また、上記の実施の形態では、突出部材を案内する案内溝を備える場合について説明したが、突出部材を用いなくてもよく、したがって、案内溝を備えなくてもよい。さらに、摺動により突出させる手法以外の手法により、側杆の側方から傾動を押止してもよい。
【００３９】
（第２の実施の形態）
図６は、本発明の第２の実施の形態のストッパー４０の斜視図である。図６に示すように、第２の実施の形態のストッパー４０は、側杆押え部４１ａ、４１ｂ、側杆収納溝４２ａ、４２ｂ、切欠き部４３ａ、４３ｂ、延在穴４４を有する板状体である。側杆押え部４１は、ストッパー後方の左右に棒状体として形成されており、切欠き部４３ａ、４３ｂにより、一端が開放端となっている。側杆押え部４１の横方向の長さＬ４１は、出水レバーの側杆２２の幅より大きく、側杆２２の後方の傾動を確実に押止することができる。切欠き部４３ａの横方向の長さＬ４３は、側杆２２の幅より若干小さい。したがって、ストッパー４０を右に摺動しても、側杆２２の傾動は押止される。第２の実施の形態において、切欠き部４３を設けるのは、ストッパー４０を出水レバー２０に取り付け容易とするためである。側杆収納溝４２ａ、４２ｂは、略長方形の溝であって、その奥行き長さＬ４２は、出水レバーの側杆２２の厚さより若干大きく、後述するように、出水レバー２０のロック状態及び解除状態において、側杆２２が、側杆収納溝４２と側杆押え部４２とにより遊嵌された状態となる。
【００４０】
延在穴４４は、ストッパー４０の手前側の領域に形成されている。第２の実施の形態においては、延在穴４４は、丸みを帯びた略Ｌ字形状に形成され、略Ｌ字の１つの端点（図６では右端）には、出水口１１のアタッチメントパーツ１１ａと嵌合する嵌合部４４ａが形成されている。また、嵌合部４４ａの左には、前後に延在する前後穴部４４ｂが形成されている。第２の実施の形態のストッパー４０も、樹脂等のある程度の弾性を有する素材で形成されており、出水口１１を挿通させたまま、ストッパー４０を側方に摺動して、出水口１１を、嵌合部４４ａから前後穴部４４ｂの後端または、前後穴部４４ｂの後端から嵌合部４４ａに位置させることができる。一方、前後穴部４４ｂの幅Ｗ４４は、出水口１１のアタッチメントパーツ１１ａの直径よりも余裕があり、ストッパー４０は、、前後穴部４４ｂの後端または前端と他端との間で、出水口１１に沿って、移動することができる。
【００４１】
図７（ａ）、（ｂ）は、第２の実施の形態のストッパー４０を、ウォーターサーバ１の出水口に取り付けた状態を示す斜視図である。図７（ａ）は、ウォーターサーバ１は、出水が禁止される状態を示す。図７（ａ）においては、出水口１１のアタッチメントパーツ１１ａは、ストッパー４０の嵌合部４４ａにてストッパー４０と嵌合している。このとき、出水レバーの側杆２２ａ及びｂの後方には、それぞれ、側杆押え部４１ａ、４１ｂが位置している。したがって、出水レバー２２を押動しても、２つの側杆２２が側杆押え部４１ａ、４１ｂによって後方から押止されるため、傾動することができず、止水状態が維持される。
【００４２】
図７（ｂ）は、出水時の状態を示す。まず、図７（ａ）の状態から、アタッチメントパーツ１１ａが前後穴部４４ｂの後方に位置するまで、ストッパー４０を出水口１１のアタッチメントパーツ１１ａに沿って左に摺動する。この状態において、出水レバー２０の平板体２１を押動すると、アタッチメントパーツ１１ａが前後穴部４４ｂと係合しつつ、ストッパー４０は後方に移動する。この移動分だけ、出水レバーも後方に傾動させることができ、出水する仕組みである。図７（ｂ）の状態から、出水レバー２０の押動を停止すると、ストッパー４０は、出水レバー２０が前方に復動するのに伴って、アタッチメントパーツ１１ａと前後穴部４４ｂにて係合しつつ、前方に移動し、前後穴部４４ｂの後端またはその付近にアタッチメントパーツ１１ａが位置するまで復動する。この状態からストッパー４０を右に摺動して嵌合部４４ａと嵌合させれば、図７（ａ）に示すロック状態に戻る。
【００４３】
以上、説明したように、第２の実施の形態のストッパー４０によれば、延在穴４４の嵌合部４４ａに、出水口１１のアタッチメントパーツ１１ａを嵌合させた状態においては、側杆押え部４１によって出水レバー２０の側杆２２が押止されて後方への傾動が禁止されるため、出水レバー２０を押動しても出水しない。この状態から、ストッパー４０を側方に摺動することによって、出水口１１は、案内部４４ｂに位置し、ストッパー４０は、出水口１１に沿って前方に移動可能な状態となる。そして、この状態から出水レバー２０を押動することで、ストッパー４０は出水口１１に沿って後方に移動し、出水レバーの側杆２２の後方への傾動が許容され、出水する。したがって、ストッパー４０を取り外すことなく、簡単な操作で、ウォーターサーバ１の出水のロックとその解除を行うことができる。
【００４４】
なお、上記の実施の形態では、前後穴部４４ｂが嵌合部４４ａの左に位置する場合について説明したが、前後穴部４４ｂは嵌合部４４ａの右に位置させ、側杆押え部を右に突出させて、摺動方向を左右逆としてよい。また、上記の実施の形態において、側杆部の左端は開放端でなくてもよい。
【００４５】
（第３の実施の形態）
図８は、本発明の第３の実施の形態のストッパー５０の斜視図である。図５０に示すように、第３の実施の形態のストッパー５０は、側杆押え部５１、嵌合穴５２、把持部５３を有する、かぎ状に屈曲した部材である。側杆押え部５１は、略Ｌ字状に形成され、内側面の長さＬ５１は、出水口１１のアタッチメントパーツ１１ａを取り付けた出水口１１の左端から出水レバー２０の左側杆２２ａの外端までの距離より若干大きい。これにより、後述するように、側杆押え部５１は、側杆２２ａの後方の傾動を確実に押止することができる。嵌合穴５２は、第１、第２の実施の形態のストッパーとは異なり、出水口１１の形状と同様の円形である。把持部５３は、嵌合穴５２から、側杆押え部５１とは逆方向に延在する棒状部材であり、内側面の長さＬ５３は、嵌合穴５２の右端から出水レバーの右端までの距離より若干大きい。
【００４６】
図９（ａ）、（ｂ）は、第３の実施の形態のストッパー５０を、ウォーターサーバ１の出水口１１のアタッチメントパーツ１１ａに取り付けた状態を示す斜視図である。図９（ａ）においては、ウォーターサーバ１は、出水が禁止される状態であり、図９（ｂ）においては、ウォーターサーバ１は、出水が可能な状態である。図９（ａ）においては、側杆押え部５１は、出水レバー２０の左側杆２２ａの後方に位置している。したがって、出水レバー２０を押動しても、右側杆２２ａが側杆押え部５１によって後方から押止されるため、傾動することができず、止水状態が維持される。
【００４７】
図９（ｂ）が示す状態は、図９（ａ）の状態から、把持部５３を把持して、ストッパー５０を時計回りに９０度回動させた状態である。図９（ｂ）においては、側杆押え部５１は、出水コック１０の後方に、縦長に位置し、出水レバー２０の左右側杆２２ａ、２２ｂの後方への傾動は、妨げられない。したがって、出水レバー２０の押動によって側杆２２ａ、２２ｂは傾動し、ウォーターサーバ１は出水する。
【００４８】
以上、説明したように、本発明の第３の実施の形態のストッパー５０によれば、出水口１１を嵌合穴５２に嵌合させた状態で、側杆押え部５１を回動させることにより、側杆押え部５１による傾動の押止を解放され、出水可能となる。したがって、ストッパー５０を取り外すことなく、簡単な操作で、ウォーターサーバ１の出水のロックとその解除を行うことができる。また、把持部５３を設けたことにより、側杆押え部５１を容易に回動させることができる。
【００４９】
上記の実施の形態においては、ストッパーが把持部を備える場合について説明したが、把持部を備えなくてもよい。また、把持部は、嵌合穴から他の方向に延在させてもよく、例えば、側杆押え部が側杆の後方に位置するときに、把持部が前方に延在するように形成してもよい。さらに、把持部も側杆押え部と同様に略Ｌ字形状であってもよく、この場合において、把持部と側杆押え部が、嵌合穴の中心点を中心として、点対称に形成されていてもよい。
【産業上の利用可能性】
【００５０】
本発明は、出水操作時においても、ウォーターサーバ本体から取り外す必要がないという効果を有し、出水レバー用ストッパー等として有用である。
【符号の説明】
【００５１】
１  ウォーターサーバ
１０  出水コック
１１  出水口
１２  傾動体
１３  引き上げ軸
１４  上部スプリング
１５  弁体
１６  止水リブ
１７  出水路
１８  給水路
２０  出水レバー
２１  平板体
２２ａ、２２ｂ  側杆
２３  側杆連結部
【図１】
2016120939.tif 000003
【図２（ａ）】
2016120939.tif 000004
【図２（ｂ）】
2016120939.tif 000005
【図３（ａ）】
2016120939.tif 000006
【図３（ｂ）】
2016120939.tif 000007
【図４】
2016120939.tif 000008
【図５（ａ）】
2016120939.tif 000009
【図５（ｂ）】
2016120939.tif 000010
【図５（ｃ）】
2016120939.tif 000011
【図６】
2016120939.tif 000012
【図７（ａ）】
2016120939.tif 000013
【図７（ｂ）】
2016120939.tif 000014
【図８】
2016120939.tif 000015
【図９（ａ）】
2016120939.tif 000016
【図９（ｂ）】
2016120939.tif 000017
【図１０】
2016120939.tif 000018